(57)【要約】【課題】ハンドオーバ処理の不具合の発生に基づく呼接続の障害を軽減することのできる移動通信システムを提供する。【解決手段】保守端末装置が、前記無線ネットワーク制御局装置より検出セル情報を収集する。そして、検出セル情報の収集に基づいて、ハンドオーバ元のセルの識別情報と検出した予測移動先となるセルの識別情報との関係が隣接セル情報に記録されているハンドオーバ元のセルの識別情報と隣接先セルの識別情報との関係の中に存在しないと判定した検出回数を記録する。そして、検出回数が閾値を超える場合に、当該検出回数存在しないと判定した、ハンドオーバ元のセルの識別情報と隣接先セルの識別情報との関係を、隣接セル情報へ追加登録する。【選択図】図１
2009302954.tif 000002
【特許請求の範囲】
【請求項１】
通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有する移動通信システムであって、
前記無線ネットワーク制御局装置が、
前記隣接セル情報を記憶する隣接セル情報記憶手段と、
前記隣接セル情報を前記セルに位置する移動体端末へ送信する隣接セル情報通信手段と、
前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備え、
前記保守端末装置が、
前記前記無線ネットワーク制御局装置より前記検出セル情報を収集する検出セル情報収集手段と、
前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段と、
前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段と、
を備えることを特徴とする移動通信システム。
【請求項２】
前記保守端末装置は、
前記検出回数が閾値を超える場合に、当該検出回数存在しないと判定した、前記ハンドオーバ元のセルの識別情報と前記隣接先セルの識別情報とを、隣接セル情報への追加推奨情報として出力する追加推奨情報出力手段と、を備え、
前記隣接セル情報追加登録手段は、前記追加推奨情報の表示に応じて登録指示情報の入力を受け付けた場合には、前記検出回数存在しないと判定した、前記ハンドオーバ元のセルの識別情報と前記隣接先セルの識別情報との関係を、隣接セル情報へ追加登録する
ことを特徴とする請求項１に記載の移動通信システム。
【請求項３】
通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、
前記無線ネットワーク制御局装置が、
前記隣接セル情報を記憶する隣接セル情報記憶手段と、
前記隣接セル情報を前記セルに位置する移動体端末へ送信する隣接セル情報通信手段と、
前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置であって、
前記前記無線ネットワーク制御局装置より前記検出セル情報を収集する検出セル情報収集手段と、
前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段と、
前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段と、
を備えることを特徴とする保守端末装置。
【請求項４】
通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有する移動通信システムにおける隣接セル情報最適化方法であって、
前記無線ネットワーク制御局装置の隣接セル情報記憶手段が、前記隣接セル情報を記憶し、
前記無線ネットワーク制御局装置の隣接セル情報通信手段が、前記隣接セル情報を前記セルに位置する移動体端末へ送信し、
前記無線ネットワーク制御局装置の検出セル情報受信手段が、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信し、
前記保守端末装置の検出セル情報収集手段が、前記前記無線ネットワーク制御局装置より前記検出セル情報を収集し、
前記保守端末装置の検出回数記録手段が、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録し、
前記保守端末装置の隣接セル情報追加登録手段が、前記検出回数が閾値を超える場合に、当該検出回数存在しないと判定した、前記ハンドオーバ元のセルの識別情報と前記隣接先セルの識別情報との関係を、隣接セル情報へ追加登録する
ことを特徴とする隣接セル情報最適化方法。
【請求項５】
通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、
前記無線ネットワーク制御局装置が、
前記隣接セル情報を記憶する隣接セル情報記憶手段と、
前記隣接セル情報を前記セルに位置する移動体端末へ送信する隣接セル情報通信手段と、
前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置の隣接セル情報最適化方法であって、
前記保守端末装置の検出セル情報収集手段が、前記前記無線ネットワーク制御局装置より前記検出セル情報を収集し、
前記保守端末装置の検出回数記録手段が、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録し、
前記保守端末装置の隣接セル情報追加登録手段が、前記検出回数が閾値を超える場合に、当該検出回数存在しないと判定した、前記ハンドオーバ元のセルの識別情報と前記隣接先セルの識別情報との関係を、隣接セル情報へ追加登録する
ことを特徴とする隣接セル情報最適化方法。
【請求項６】
通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、
前記無線ネットワーク制御局装置が、
前記隣接セル情報を記憶する隣接セル情報記憶手段と、
前記隣接セル情報を前記セルに位置する移動体端末へ送信する隣接セル情報通信手段と、
前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置のコンピュータを、
前記前記無線ネットワーク制御局装置より前記検出セル情報を収集する検出セル情報収集手段、
前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段、
前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段、
として機能させるためのプログラム。
【請求項７】
請求項６に記載のプログラムが記録されたコンピュータ読み取り可能な記録媒体。
【発明の詳細な説明】
【技術分野】
【０００１】
本発明は、移動端末が通信接続する基地局装置間のハンドオーバを制御する移動通信システム、保守端末装置、隣接セル情報最適化方法、プログラムと記録媒体に関する。
【背景技術】
【０００２】
３Ｇ（３世代；３Ｇｅｎｅｒａｔｉｏｎ）モバイルシステムにおいて、移動通信端末装置（ＵＥ）が移動しながら通信を継続する為には、通信接続先の基地局装置を移動の過程で順次、他の基地局装置へ切り替えるハンドオーバ処理を行なう必要がある。Ｗ−ＣＤＭＡ（Wideband Code Division Multiple Access）技術を用いた３Ｇモバイルシステムにおいては、呼接続中のハンドオーバ処理を、移動通信端末装置（ＵＥ）と無線ネットワーク制御局装置（ＲＮＣ；Radio Network Controller）との間で通信される無線リソース管理（ＲＲＣ；Radio Resource Control）メッセージにより制御している。
【０００３】
また、ハンドオーバ処理において、それまで接続していた基地局装置の通信可能範囲であるセルを基準とする、ハンドオーバ対象となる周辺セル情報は、無線ネットワーク制御局装置（ＲＮＣ）側の隣接セル情報のデータベースに登録されている。そして、周辺セル情報は、移動通信端末装置（ＵＥ）の移動に基づくセル情報の追加時に通知される。そして、実際のハンドオーバ処理は、移動通信端末装置（ＵＥ）が、通知された周辺セル情報に基づいて、基地局装置より受信する無線信号の受信品質を逐次モニタし、移動の過程で移動先のセルにおける基地局装置からの無線信号の受信品質が、規定の閾値を越えた場合、当該セルとの接続要求をＲＮＣに通知し、ハンドオーバ先の基地局装置と接続することとなる。なお、無線ネットワーク制御局装置（ＲＮＣ）より通知されていない周辺セルは、移動通信端末装置（ＵＥ）にてDetected Setセルとして無線ネットワーク制御局装置（ＲＮＣ）へ通知されるのみで、その周辺セルの基地局装置から送信されるパイロット無線信号の受信品質が規定の閾値を越えた場合でも、移動通信端末装置（ＵＥ）はハンドオーバする事が出来ない。移動通信システムにおけるハンドオーバに関する技術が特許文献１に開示されている。
【特許文献１】特開２００２−３６９２３６号公報
【発明の開示】
【発明が解決しようとする課題】
【０００４】
ここで、各セルの隣接セル情報は、上述の通り無線ネットワーク制御局装置（ＲＮＣ）内部のデータベースに登録されているが、このデータベースは、基本的に基地局（セル）設計情報に基づき、ネットワークオペレータによりマニュアルにて登録され、ネットワークの拡張により随時更新される事になる。この場合、各セルの隣接セル情報をマニュアルで管理・更新することとなるため、特に周辺セルが密集する都市部などで更に基地局装置（ＮｏｄｅＢ）本体が増設される場合や、無線周波数ブロックが増設される場合に、セル情報登録ミスなどの人為的ミスにより、ハンドオーバ先の情報として抜けが発生し、これにより、ハンドオーバ処理の不具合の発生に基づくセルエッジ（セル間の境界付近）での呼接続処理の障害を誘発するなどの潜在的問題発生の恐れがあった。
【０００５】
そこでこの発明は、ハンドオーバ処理の不具合の発生に基づく呼接続の障害を軽減することのできる移動通信システムを提供することを目的としている。
【課題を解決するための手段】
【０００６】
上記目的を達成するために、本発明は、通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有する移動通信システムであって、前記無線ネットワーク制御局装置が、前記隣接セル情報を記憶する隣接セル情報記憶手段と、前記隣接セル情報を前記セルに位置する移動体端末へ送信する隣接セル情報通信手段と、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備え、前記保守端末装置が、前記前記無線ネットワーク制御局装置より前記検出セル情報を収集する検出セル情報収集手段と、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段と、前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段と、を備えることを特徴とする移動通信システムである。
【０００７】
また本発明は、上述の移動通信システムにおいて、前記保守端末装置が、前記検出回数が閾値を超える場合に、当該検出回数存在しないと判定した、前記ハンドオーバ元のセルの識別情報と前記隣接先セルの識別情報とを、隣接セル情報への追加推奨情報として出力する追加推奨情報出力手段と、を備え、前記隣接セル情報追加登録手段が、前記追加推奨情報の表示に応じて登録指示情報の入力を受け付けた場合には、前記検出回数存在しないと判定した、前記ハンドオーバ元のセルの識別情報と前記隣接先セルの識別情報との関係を、隣接セル情報へ追加登録することを特徴とする。
【０００８】
また本発明は、通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、前記無線ネットワーク制御局装置が、前記隣接セル情報を記憶する隣接セル情報記憶手段と、前記隣接セル情報を前記セルに位置する移動体端末へ送信する隣接セル情報通信手段と、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置であって、前記前記無線ネットワーク制御局装置より前記検出セル情報を収集する検出セル情報収集手段と、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段と、前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段と、を備えることを特徴とする保守端末装置である。
【０００９】
また本発明は、通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有する移動通信システムにおける隣接セル情報最適化方法であって、前記無線ネットワーク制御局装置の隣接セル情報記憶手段が、前記隣接セル情報を記憶し、前記無線ネットワーク制御局装置の隣接セル情報通信手段が、前記隣接セル情報を前記セルに位置する移動体端末へ送信し、前記無線ネットワーク制御局装置の検出セル情報受信手段が、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信し、前記保守端末装置の検出セル情報収集手段が、前記前記無線ネットワーク制御局装置より前記検出セル情報を収集し、前記保守端末装置の検出回数記録手段が、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録し、前記保守端末装置の隣接セル情報追加登録手段が、前記検出回数が閾値を超える場合に、当該検出回数存在しないと判定した、前記ハンドオーバ元のセルの識別情報と前記隣接先セルの識別情報との関係を、隣接セル情報へ追加登録することを特徴とする隣接セル情報最適化方法である。
【００１０】
また本発明は、通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、
前記無線ネットワーク制御局装置が、前記隣接セル情報を記憶する隣接セル情報記憶手段と、前記隣接セル情報を前記セルに位置する移動体端末へ送信する隣接セル情報通信手段と、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置の隣接セル情報最適化方法であって、前記保守端末装置の検出セル情報収集手段が、前記前記無線ネットワーク制御局装置より前記検出セル情報を収集し、前記保守端末装置の検出回数記録手段が、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録し、前記保守端末装置の隣接セル情報追加登録手段が、前記検出回数が閾値を超える場合に、当該検出回数存在しないと判定した、前記ハンドオーバ元のセルの識別情報と前記隣接先セルの識別情報との関係を、隣接セル情報へ追加登録することを特徴とする隣接セル情報最適化方法である。
【００１１】
また本発明は、通信範囲であるセルを複数構成する複数の基地局装置と、前記セルに位置する移動端末の通信を制御する無線ネットワーク制御局装置と、移動端末の移動におけるハンドオーバ元のセルの識別情報とそのセルに隣接する隣接先セルの識別情報とを保持した隣接セル情報を前記無線ネットワーク制御局装置へ登録する保守端末装置と、有し、前記無線ネットワーク制御局装置が、前記隣接セル情報を記憶する隣接セル情報記憶手段と、前記隣接セル情報を前記セルに位置する移動体端末へ送信する隣接セル情報通信手段と、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した移動端末より、前記ハンドオーバ元のセルの識別情報と前記予測移動先となるセルの識別情報とを格納した検出セル情報を受信する検出セル情報受信手段と、を備える移動通信システムにおける保守端末装置のコンピュータを、前記前記無線ネットワーク制御局装置より前記検出セル情報を収集する検出セル情報収集手段、前記検出セル情報の収集に基づいて、前記ハンドオーバ元のセルの識別情報と検出した予測移動先となるセルの識別情報との関係が前記隣接セル情報に記録されているハンドオーバ元のセルの識別情報と前記隣接先セルの識別情報との関係の中に存在しないと判定した検出回数を記録する検出回数記録手段、前記検出回数が閾値を超える場合に、当該検出回数存在しないと判定した、前記ハンドオーバ元のセルの識別情報と前記隣接先セルの識別情報との関係を、隣接セル情報へ追加登録する隣接セル情報追加登録手段、として機能させるためのプログラムである。
【００１２】
また本発明は、上述のプログラムが記録されたコンピュータ読み取り可能な記録媒体である。
【発明の効果】
【００１３】
本発明によれば、Detected Setセルの検出回数が閾値を超えた場合には、そのDetected Setセルを、ハンドオーバ元のセルの隣接セルとして登録することを自動推奨するため、オペレータ等に、周辺セルが密集する都市部などにおける基地局装置（ＮｏｄｅＢ）本体の増設や、無線周波数ブロックの増設が多くある地域の隣接セル情報の登録作業を容易にさせることができ、これによりオペレータの労力を軽減することができる。また、セル情報登録ミスなど、ハンドオーバ先情報の抜け等の人為的ミスによる、セルエッジでの移動通信の呼損を誘発するといった問題発生を軽減させることができる。
【発明を実施するための最良の形態】
【００１４】
以下、本発明の一実施形態による移動通信システムを図面を参照して説明する。
図１は同実施形態による３Ｇモバイルシステムに適用される移動通信システムの構成を示すブロック図である。
この図において、符号２００は３Ｇモバイルシステムに適用される移動通信システムを示している。そして、この移動通信システム２００は、無線ネットワーク制御局装置（ＲＮＣ：Radio Network Controller）１０、保守端末装置２０と、これに接続された、コアネットワーク（ＣＮ：Core Network）５０と、このコアネットワーク５０を介して無線ネットワーク制御局装置１０に接続された音声・データ公衆網６０と、無線ネットワーク制御局装置１０に接続された、無線基地局装置Ａ３０及び、無線基地局装置Ｂ４０を有している。そして、無線ネットワーク制御局装置１０、及び、保守端末装置２０により、Detected Set収集による３Ｇ隣接セルの最適化の処理が行なわれる。この処理の詳細については後述する。
【００１５】
ここで、無線ネットワーク制御局装置１０は、無線基地局装置Ａ３０、無線基地局装置Ｂ４０との間、及び、コアネットワーク５０との間で、呼処理用の制御データと、音声・データ等の通信データを伝送する。また、無線ネットワーク制御局装置１０は、保守端末装置２０により設定された設定値を使用して、ハンドオーバ、電力制御、呼受付制御及び輻輳制御などの無線リソース制御を行う。保守端末装置２０は、オペレータによるネットワークの保守作業に用いられる。また、無線基地局装置Ａ３０は、サービスエリア（無線信号が届く範囲）としてのセルＡ、セルＡ’を形成し、同様に、無線基地局装置Ｂ４０は、サービスエリアとしてのセルＢ、セルＢ’を形成する。なお、図１では、説明の便宜上、無線基地局装置Ａ３０、無線基地局装置Ｂ４０がそれぞれ２つずつのセルを形成している例を示しているが、１つの無線基地局装置が形成するセルの数は任意である。また、図１では、説明の便宜上、無線基地局装置として、無線基地局装置Ａ３０および無線基地局装置Ｂ４０の２つの無線基地局装置のみを図示しているが、無線基地局の数も任意である。また、図１には、他に、無線基地局装置Ａ３０、無線基地局装置Ｂ４０により形成されたセル間を移動（ハンドオーバ）しながら移動通信している移動通信端末装置（ＵＥ：User Equipment）７０を図示している。
【００１６】
図２は無線ネットワーク制御局装置と保守端末装置の機能ブロック図である。
次に無線ネットワーク制御局装置１０と保守端末装置２０の機能概要について説明する。なお、図２には、無線ネットワーク制御局装置１０及び保守端末装置２０の他に、コアネットワーク５０、無線基地局装置Ａ３０、無線基地局装置Ｂ４０を図示している。そして、図２に示すように、無線ネットワーク制御局装置１０は、ＡＴＭ 交換機（ＡＴＭ：Asynchronous Transmission Mode（非同期転送モード））１１と、制御装置１２と、隣接セル情報保存部１３と、Detected Setセルデータ保存部１４と、を備えている。また、制御装置１２は、呼処理制御部１２１と、ハンドオーバ制御部１２２と、Detected Setセルデータ収集部１２３と、設定更新部１２４を備えている。なお、無線ネットワーク制御局装置１０の制御装置１２は、例えば、各種の制御動作を行うＣＰＵと、このＣＰＵの制御用プログラムを記憶保持したＲＯＭと、ＣＰＵの作業領域などとして機能するＲＡＭを備えて構成され、そのＲＯＭに記憶されたプログラムを実行することにより、上記の呼処理制御部１２１と、ハンドオーバ制御部１２２と、Detected Setセルデータ収集部１２３と、設定更新部１２４の各機能を備えることとなる。また図２において、ＡＴＭ交換機１１は、コアネットワーク５０、無線基地局装置Ａ３０及び無線基地局装置Ｂ４０と相互に接続されている。
【００１７】
ここで、このＡＴＭ交換機１１は、制御装置１２の呼処理制御部１２１の制御下で、呼接続要求などの制御信号を処理することにより、移動通信端末装置７０同士の呼を接続したり、或いは、移動通信端末装置７０と公衆網との間の呼を接続したりする。また、制御装置１２のハンドオーバ制御部１２２は、移動通信端末装置７０（図１）が、無線基地局装置Ａ３０により形成されたセル（セルＡ、又はセルＡ’） 内と、無線基地局装置Ｂ４０により形成されたセル（セルＢ、又はセルＢ’） 内との間で移動しながらも通信を継続（ハンドオーバ）することを可能とするために、無線基地局装置Ａ３０、無線基地局装置Ｂ４０の双方と無線ネットワーク制御局装置１０のＡＴＭ交換機１１との間での回線接続を確保する制御を行う。また、隣接セル情報保存部１３は、保守端末装置２０により設定されたセル設定情報（隣接セル情報（後述する隣接セルリストからなる）を含む）を、制御装置１２の設定更新部１２４の制御下で保存（記憶保持）する。また、Detected Setセルデータ保存部１４は、制御装置１２のDetected Setセルデータ収集部１２３により収集される情報を、該Detected Setセルデータ収集部１２３の制御下で記憶保持し蓄積する。ここで、Detected Setセルデータ収集部１２３が収集する情報には、移動通信端末装置７０がハンドオーバを実行する度に該移動通信端末装置７０から通知されるハンドオーバ元及びハンドオーバ先のセルを特定するための情報（詳細後述）が含まれる。
【００１８】
また、保守端末装置２０は、図２に示すように、無線ネットワーク制御局装置１０のセル設定保存装置１３に記憶保持されたセル設定情報（ＲＮＣ設定値（後述する隣接セルリストからなる）） の変更操作などをオペレータより受け付ける操作部２１と、各種の情報の表示動作を行う表示部（表示手段）２２と、制御装置２３を備えている。ここで、制御装置２３は、Detected Setセルデータ収集部２３１と、Detected Setセル検出回数計算部２３２と、Detected Setセル表示部２３３、隣接セル情報更新部２３４と、隣接セル情報アップデート部２３５とを備えている。
【００１９】
そして、Detected Setセルデータ収集部２３１は、無線ネットワーク制御局装置１０のDetected Setセルデータ保存部１４に蓄積された情報をダウンロードする機能を有する。また、Detected Setセル検出回数計算部２３２は、ダウンロードしたデータをオペレータに見やすいよう加工し表示させる処理を行う。隣接セル情報更新部２３４は、Detected Setセルを隣接セルとして追加させるか否かを判断する処理を行なう。また、隣接セル情報アップデート部２３５は、検出したDetected Setセルを新規隣接セルとして追加する等の制御を行う。
【００２０】
＜動作の説明＞
図３は、３Ｇモバイルシステムに適用される移動通信システムにおける処理フローを示す第１の図である。
図４は、セルＡ’の周辺セルの配置例を示す図である。
次に、３Ｇモバイルシステムに適用される移動通信システムにおける処理フローの詳細について説明する。
まず、図３に示すように、保守端末装置２０のオペレータが隣接セルリストを作成する（ステップＳ１）。ここで、ネットワーク設計者（通常はオペレータ）による基地局設計によりセル毎にどのセルが周辺に位置しているかの情報に基づきオペレータが隣接セルリストを作成する。隣接セルリストは、例えば、図４に示すように、各セルのＩＤ（セルＡ’のＩＤ＝１など）を対応付けて記録することにより、ハンドオーバ元のセル及び当該ハンドオーバ元のセルについての隣接セルの情報を記憶している。すなわち、図４に示すように、例えば、セルＡ’（ＩＤ＝１）をハンドオーバ元とした場合のハンドオーバ先の候補（周辺セル）としては、第２〜第６のセル（ＩＤ＝２〜６）を隣接セルリストとして対応付けて記憶している。
【００２１】
この隣接セルリストに設定されていない周辺セル、例えば、図４に示すセルＩＤ＝７〜１０のセルは、セルＩＤ＝７の様にセルＡ’（ＩＤ＝１）の近傍に位置している場合でもハンドオーバ先の候補とはならない。尚、実際には、セルＡ’以外のセルについても、各々をハンドオーバ元とした場合のハンドオーバ先の候補（隣接セル）を示す隣接セルリストも作成されるが、ここでは、説明の便宜上、図４に示すように、セルＡ’についての隣接セルリストのみを表示、説明する。以下、セルＡ’をハンドオーバ元とした場合のハンドオーバ先の候補となるセルのリストを用いて、以下の説明を行う。
【００２２】
次に、保守端末装置２０のオペレータは、ステップＳ１にて作成した隣接セルリストに基づいて、セルＡ’の隣接セル情報を、無線ネットワーク制御局装置１０に対して登録設定する（ステップＳ２）。これにより、セルＡ’の隣接セル情報（隣接セルリスト）は、無線ネットワーク制御局装置１０の隣接セル情報保存部１３に記録される。ここで、セルＡ’の隣接セルは、上述の通り、セルＩＤ＝２〜セルＩＤ＝６である。なお、図４においては、これらセルを、「１」〜「６」の数字のみで示している。図４に示す「１」〜「６」の数字は、第１〜第６の各セルのＩＤをも示すものである。そして、ステップ２により登録設定操作がなされると、無線ネットワーク制御局１０では、その設定更新部１２４の制御下で、隣接セル情報保存部１３内のセルＡ’についての隣接セル情報が更新される（ステップ３）。
【００２３】
続いて、無線ネットワーク制御局装置１０の制御装置１２は、無線基地局装置Ａ３０経由で、セルＡ’の範囲内に位置している移動通信端末装置７０に対し、セルＡ’の設定、すなわち、先のステップ３にて更新された隣接セル情報を通知する（ステップＳ４）。すると、移動通信端末装置７０は、セルＡ’を選択する（ステップＳ５）。その後、セルＡ’の範囲内の移動通信端末装置７０が固定網または他の移動通信端末装置に対して無線基地局装置Ａ３０経由で呼接続（セルＡ’への呼接続）を行なうと（ステップＳ６）、無線ネットワーク制御局装置１０の呼処理制御機能１２１は、当該、セルＡ’の範囲内の移動通信端末装置７０と通信先の他の移動通信端末装置との間の呼接続処理を行う（ステップＳ７）。
【００２４】
ここでは、この呼接続処理が成功し、呼が正常に接続されたものとして、以下の説明を続ける。この呼接続処理の際に、無線ネットワーク制御局装置１０の呼処理制御部１２１は、移動通信端末装置７０に対し、セルＡ’（セルＩＤ＝１）の隣接セル情報（セルＩＤ＝２〜６、セルＢはセルＩＤ＝４とする）と、ハンドオーバの閾値と、を通知する。これにより移動通信端末装置７０は、隣接セルからの受信品質の測定を開始する（ステップＳ８）。ここで、呼接続処理により開始された通信を行う過程で、移動通信端末装置７０が位置を移動し、セルＡ’（セルＩＤ＝１）からセルＢ（セルＩＤ＝４）へ近づいたとする（ステップＳ９）。その結果、移動通信端末装置７０が、セルＢの無線基地局装置Ｂ４０からの信号を検出し、セルＡ’（セルＩＤ＝１）とセルＢ（セルＩＤ＝４）から受信した共通パイロットチャンネル（ＣＰＩＣＨ：Common Pilot Channel）の受信品質（Ｅｃ／Ｎｏ） の差（セルＡ’とセルＢとの受信品質の差）が、ハンドオーバ閾値を下回ると判定した場合、当該移動通信端末装置７０はセルＢの受信品質とスクランブリングコード（ＳＣ：Scrambling Code）からなる測定報告を、無線基地局装置Ａ３０経由で無線ネットワーク制御局装置１０へ通知する（ステップＳ１０）。
【００２５】
この後、無線ネットワーク制御局装置１０は、移動通信端末装置７０がセルＢの無線基地局装置Ｂ４０と通信接続した場合に、当該セルＢの無線リソースが過負荷にならないことを確認し、過負荷にならないと判定した場合、セルＢを新たな通信先の無線回線として追加するように、無線基地局装置Ａ３０経由で移動通信端末装置７０に対して指示する（ステップＳ１１）。移動通信端末装置７０は、無線ネットワーク制御局装置１０からの指示（セルＢの追加指示）に応じて、セルＢを追加する処理を実行し、この追加処理が完了すると、無線基地局装置Ａ３０経由で無線ネットワーク制御局装置１０に対し該追加処理を完了した旨を通知する（ステップＳ１２：セルＢ４１追加完了通知）。
【００２６】
一方、上記ステップＳ１０にて、移動通信端末装置７０において隣接セルとして隣接セル情報保存部１３に登録されていないセル（予測移動先となるセル）を受信信号に基づいて検出した場合は、無線ネットワーク制御局１０に対して当該セルのＩＤと、ハンドオーバ元のセルのＩＤをDetected Set（検出セル情報）セルとして通知する。そして、移動通信端末装置７０より通知されたDetected Setセルの情報は、無線ネットワーク制御局装置１０のDetected Setセルデータ収集部１２３により収集される（ステップＳ１３）。そして、Detected Setセルデータ収集部１２３は、ハンドオーバ元のセルＩＤとDetected SetセルのＩＤとを対応付けてDetected Setセルデータとして、無線ネットワーク制御局装置１０のDetected Setセルデータ保存部１４に蓄積・保存する（ステップＳ１４）。次に、無線ネットワーク制御局装置１０のDetected Setセルデータ保存部１４に蓄積・保存されたDetected Setセルデータを、保守端末装置２０の制御装置２３のDetected Setセルデータ収集部２３１がデータ収集する（ステップＳ１５）。そして、保守端末装置２０における制御装置２３のDetected Setセルデータ収集部２３１にて収集されたDetected Setセルデータを、Detected Setセル表示部２３３がデータ加工し、図５に示すDetected Setセルリストを、表示部２２に表示する。このDetected Setセルリストには、ハンドオーバ元セルのセルＩＤと、そのセルよりDetected Setとして検出されたセルＩＤ、また更には、その検出回数を表示させる（ステップＳ１６）。また、図５に示すDetected Setセルリストでは、検出されたDetected Setセルの表示可能数を３つまでに限定しているが、この表示数量の変更設定は、保守端末装置２０の操作部２１からの指示に基づいて、Detected Setセル表示部２３３が行う。
【００２７】
そして、Detected Setセル表示部２３３で生成されたDetected Setセルリストのデータに基づいて、保守端末装置２０における制御装置２３の隣接セル情報更新部２３３が、セル毎に検出されたDetected Setセルを、新規の隣接セルデータとして追加すべきかどうか判断する（ステップＳ１７）。そして、Detected Setセル表示部２３３は、新規の隣接セルデータとして追加すべきと判断された隣接セルデータを示す追加登録推奨リストを表示する（ステップＳ１８）。そして、保守端末装置２０における制御装置２３の隣接セル情報アップデート部２３５が、追加登録すべきと判断したDetected Setセルを、新規に隣接セル情報として登録処理し、これにより、隣接セルリストの更新を行ない（ステップＳ１９）、無線ネットワーク制御局装置１０に再設定される（ステップＳ２０）。
【００２８】
図６は、３Ｇモバイルシステムに適用される移動通信システムにおける処理フローを示す第２の図である。
ここで、上述の、セル毎に検出されたDetected Setセルを、新規の隣接セルデータとして追加すべきかどうかの判断について図６を用いて詳細に説明する。
保守端末装置２０における制御装置２３の隣接セル更新部２３３は、Detected Setセルリストのデータから、まず、ある、Detected Setセルに関するハンドオーバ元のセルＩＤを取得し（ステップＳ１０１）、またDetected Setセルとして通知されたセルＩＤを取得する（ステップＳ１０２）。次に、Detected Setセル検出回数計算部２３２は、ステップＳ１０２で取得されたDetected SetセルＩＤのカウント回数を取得し（ステップＳ１０３）、この回数が、与えられたカウント回数の閾値を越えたかを隣接セル情報更新部２３３が判定する（ステップＳ１０４）。そして、カウント回数がその閾値を超えた場合、そのDetected Setセルを、隣接セルデータとして追加登録推奨リストとして表示する（ステップＳ１０５）。ここで、この時、Detected SetセルＩＤのカウント回数の閾値については、オペレータにより自由に設定可能とする。仮に、カウント回数の閾値がオペレータにより５０回と設定された場合、図５に示したDetected Setセルリストであれば、セルＡ’（セルＩＤ＝１）に関するDetected SetセルであるセルＩＤ＝７のセルは、新規隣接セルとして登録が推奨されるものとして表示される。
【００２９】
以上、本発明の実施形態について説明したが、上述の処理によれば、Detected Setセルの検出回数が閾値を超えた場合には、そのDetected Setセルを、ハンドオーバ元のセルの隣接セルとして登録することを自動推奨するため、オペレータ等に、周辺セルが密集する都市部などにおける基地局装置（ＮｏｄｅＢ）本体の増設や、無線周波数ブロックの増設が多くある地域の隣接セル情報の登録作業を容易にさせることができ、これによりオペレータの労力を軽減することができる。また、セル情報登録ミスなど、ハンドオーバ先情報の抜け等の人為的ミスによる、セルエッジでの移動通信の呼損を誘発するといった問題発生を軽減させることができる。
【００３０】
なお、上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】移動通信システムの構成を示すブロック図である。
【図２】無線ネットワーク制御局装置と保守端末装置の機能ブロック図である。
【図３】移動通信システムにおける処理フローを示す第１の図である。
【図４】セルＡ’の周辺セルの配置例を示す図である。
【図５】Detected Setセルリストを示す図である。
【図６】移動通信システムにおける処理フローを示す第２の図である。
【符号の説明】
【００３３】
１０・・・無線ネットワーク制御局装置
２０・・・保守端末装置
３０・・・無線基地局装置Ａ
４０・・・無線基地局装置Ｂ
５０・・・コアネットワーク（ＣＮ）
６０・・・音声・データ公衆網
７０・・・移動通信端末装置
【図１】
2009302954.tif 000003
【図２】
2009302954.tif 000004
【図３】
2009302954.tif 000005
【図４】
2009302954.tif 000006
【図５】
2009302954.tif 000007
【図６】
2009302954.tif 000008